(57)【特許請求の範囲】
【請求項１】
製氷機にて製造された平板状氷が搬入される前方へ下降傾斜する搬入路に沿って、同平板状氷を収納する上下一対の樹脂フィルムを送出す送出手段と、前記平板状氷を上下両面側から被覆する前記両樹脂フィルムの周縁重合部をシールするシール手段と、同シール手段にてシールされた前記両樹脂フィルムの後側シール部の後方部位を切断する切断手段を備えた氷袋詰装置において、前記搬入路を前記製氷機の平板状氷を搬出する前方へ下降傾斜する搬出路の延長面上にて同一傾斜角度に配置するとともに、前記搬入路における前記送出手段の後方に同搬入路に搬入された平板状氷を背部から押動する押動手段を設け、同押動手段を構成する押動ロッドの待機位置を前記搬入路およぶ前記搬出路の路面より下方の位置に設定したことを特徴とする氷袋詰装置。
【請求項２】
請求項１に記載の氷袋詰装置において、前記押動手段は、駆動モータにて前後方向に揺動する揺動アームと、同揺動アームの先端部に設けた長手方向方向に延びる長穴に移動可能に嵌挿された第１の押動ロッドと、同押動ロッドに後端部にて連結され前端部に第２の押動ロッドを有する連結アームと、装置におけるフレームの側壁部に形成され端部を嵌挿された前記第１の押動ロッドを前記搬入路における路面の下方から同路面上に沿って導く第１のガイド溝と、前記フレームの側壁部に形成され端部を嵌挿された前記第２の押動ロッドを前記搬入路の路面上に沿って導く第２のガイド溝を備えていることを特徴とする氷袋詰装置。
【発明の詳細な説明】
【０００１】
【発明の属する技術分野】
本発明は、製氷機にて製造された平板状氷を袋詰めするための氷袋詰装置に関する。
【０００２】
【従来の技術】
製氷機の一形式として、例えば、実公平５−３７１７５号公報および実公平５−１０１９７号公報に示されているように、下方に開口する複数の製氷室を有する製氷器と、各製氷室に製氷用水を供給する複数の噴出孔を有し製氷器の下方にて上下動可能に配置されて各製氷室の下端開口部を閉塞する水皿と、水皿を下動して各製氷室を開放する駆動手段を備えた形式の製氷機がある。
【０００３】
当該形式の製氷機においては、各製氷室を水皿にて閉塞した状態で水皿の各噴出孔から各製氷室に製氷用水を供給しつつ製氷運転を行い、製氷運転終了後に、製氷器の各製氷室と水皿間に形成される氷を融解しつつ水皿を駆動手段の作動により下動させて製氷器から引剥がし、製氷器から融解して離脱する氷を引剥された水皿上に受承する除氷運転を行うものである。水皿上に受承された氷は、製氷機の前側に配設されている袋詰装置に適宜の手段で搬送され、袋詰装置にて袋詰めされる。
【０００４】
しかして、当該形式の製氷機にて製造される氷は、平板状を保持した状態で袋詰装置へ搬送されて袋詰めされるのが好都合であって、このことを袋詰めする側から要請されている。このため、当該形式の製氷機の除氷運転における氷の水皿上への受承時には勿論のこと、水皿上に受承された氷の袋詰装置側への搬出時、袋詰装置における搬入時、および袋詰時においても、平板状氷が破壊して多数の角氷に分離することがないようにすることが必要である。
【０００５】
しかしながら、当該形式の製氷機においては、一般には、製氷機の水皿を製氷器の下方にて前方へ下降傾斜させ、製氷器にて製造された氷を融解して傾斜状態にある水皿上へ落下させて、その勢いで水皿の表面を滑動させて袋詰装置へ搬送する手段を採っている。このため、平板状氷の水皿上への落下時には多数の角氷に破壊されることになる。
【０００６】
【発明が解決しようとする課題】
かかる問題に対処すべく、上記した前者の公報に示された製氷機と袋詰装置とからなる氷製造装置においては、平板状氷の水皿上への落下時の衝撃を緩和するため製氷機に氷受板を設けて、平板状氷を氷受板と水皿の一部とで支持しつつ下降させて、衝撃を与えることなく水皿上に軟着陸させることを意図している。しかしながら、水皿上に受承された平板状氷の搬出は、水皿の前方への下降傾斜に起因する自然の滑動に依存する手段を採っており、この手段で平板状氷を搬出して袋詰装置に搬入し、かつ、その搬入の勢いで両樹脂フィルム間に完全に挿入するには、相当大きな滑動力が必要である。
【０００７】
これを達成するには、水皿の表面の傾斜角度および袋詰装置における搬入路の路面の傾斜角度を出来る限り大きくする必要があるが、これには自ずと限界があり、また、このような傾斜状態の水皿の表面および搬入路の路面での滑動速度は大きくて、平板状氷は極めて小さな障害によっても大きな衝撃を受けて破壊するおそれがある。
【０００８】
一方、後者の公報に示された製氷機と袋詰装置からなる氷製造装置においては、製氷機と袋詰装置との間に特別の氷搬送装置を配設して、製氷器から離脱する平板状氷を氷搬送装置の氷受板にて受承して移動し、袋詰装置に搬入する手段を採っている。しかしながら、かかる氷搬送装置は特殊な装置あって構成が複雑で極めて高価であるという難点があり、また、袋詰装置へ搬入した平板状氷を両樹脂フィルム間へ完全に挿入させる問題を解決する手段については、何らの開示もない。
【０００９】
従って、本発明の目的は、当該形式の製氷機と袋詰装置とからなる氷製造装置において、融解して製氷器の各製氷室から離脱して水皿上に受承された平板状氷を、破壊することなく、水皿上から搬出して袋詰装置に搬入し、かつ、両樹脂フィルム間へ容易に挿入し得るようにすることにある。
【００１０】
【課題を解決するための手段】
本発明は氷袋詰装置に関するもので、特に、製氷機にて製造された平板状氷が搬入される前方へ下降傾斜する搬入路に沿って、同平板状氷を収納する上下一対の樹脂フィルムを送出す送出手段と、前記平板状氷を上下両面側から被覆する前記両樹脂フィルムの周縁重合部をシールするシール手段と、同シール手段にてシールされた前記両樹脂フィルムの後側シール部の後方部位を切断する切断手段を備えた形式の氷袋詰装置を適用対象とするものである。
【００１１】
しかして、本発明は上記した形式の氷袋詰装置において、前記搬入路の路面を前記製氷機の平板状氷を搬出する前方へ下降傾斜する搬出路の路面の延長面上にて同一傾斜角度に配置するとともに、前記搬入路における前記送出手段の後方に同搬入路に搬入された平板状氷を背部から押動する押動手段を設け、同押動手段を構成する押動ロッドの待機位置を前記搬入路およぶ前記搬出路の路面より下方の位置に設定したことを特徴とするものである。
【００１２】
本発明に係る氷袋詰装置においては、前記押動手段を、駆動モータにて前後方向に揺動する揺動アームと、同揺動アームの先端部に設けた長手方向方向に延びる長穴に移動可能に嵌挿された第１の押動ロッドと、同押動ロッドに後端部にて連結され前端部に第２の押動ロッドを有する連結アームと、装置におけるフレームの側壁部に形成され端部を嵌挿された前記第１の押動ロッドを前記搬入路における路面の下方から同路面上に沿って導く第１のガイド溝と、前記フレームの側壁部に形成され端部を嵌挿された前記第２の押動ロッドを前記搬入路の路面上に沿って導く第２のガイド溝を備えた構成とすることができる。
【００１３】
【発明の作用・効果】
本発明に係る氷袋詰装置によれば、平板状氷を背部から押動する押動手段が搬入路に沿って設けられていて、この押動手段により搬入された平板状氷を押動して、両樹脂フィルム間に確実に挿入することができるため、平板状氷の滑動力を大きくする必要が無い。このため、氷袋詰装置側の搬入路および製氷機側の搬出路の各路面の傾斜角度を、平板状氷が破壊されないで滑動するに最適な角度に設定することができて、平板状氷の搬出および搬入時の破壊を防止することができる。
【００１４】
また、本発明に係る氷袋詰装置によれば、押動手段を構成する押動ロッドの待機位置を氷袋詰装置側の搬入路および製氷機側の搬出路の各路面より下方の位置に設定しているため、氷袋詰装置側の搬入路の路面を製氷機側の搬出路の路面の延長面上にて同一傾斜角度に配置して、両路面間を段差が無い状態にすることができる。このため、平板状氷は、製氷機側の搬出路から氷袋詰装置側の搬入路へ円滑に移動して破壊されることがなく、特別の氷搬送装置の設置は不要である。
【００１５】
本発明に係る氷袋詰装置においては、平板状氷を背部から押動する押動手段を、駆動モータにて前後方向に揺動する揺動アームと、揺動アームの先端部に設けた長手方向に延びる長穴に移動可能に嵌挿された第１の押動ロッドと、第１の押動ロッドに後端部にて連結され前端部に第２の押動ロッドを有する連結アームと、装置におけるフレームの側壁部に形成され端部を嵌挿された第１の押動ロッドを搬入路における路面の下方から同路面上に沿って導く第１のガイド溝と、フレームの側壁部に形成され端部を嵌挿された第２の押動ロッドを搬入路の路面上に沿って導く第２のガイド溝を備えた構成とすることができる。
【００１６】
かかる構成により、第１の押動ロッドの待機位置を両路面の下方に設置して、第１のガイド溝の作用により、搬入された平板状氷の背部に導いて、同氷を前方へ押動して両樹脂フィルム間に確実に挿入することができ、かつ、その後の両樹脂フィルムの周縁部のシール工程により袋詰めが完了した平板状氷の背部に、第２の押動ロッドを第２のガイド溝の作用により導いて、同氷を押動して袋詰装置の外部へ搬出することができる。
【００１７】
【発明の実施の形態】
以下、本発明を図面に基づいて説明すると、図１および図２は、袋詰めされた平板状氷１１を示している。当該平板状氷１１（以下これを単に氷１１ということがある）は、図３に示す氷製造装置を構成する製氷機２０にて製造され、製氷機２０の前側に配設されている袋詰装置３０にて袋詰めされたものである。
【００１８】
図１および図２に示す氷１１は、薄板状の連結部１１ａと、連結部１１ａ上に一体的に形成されて多数のスリット１１ｂにて区画された多数の角氷部１１ｃにて構成されている。氷１１は、上下２枚の樹脂フィルム１２ａ，１２ｂからなる透明な袋１２に収容されていて、使用時には、氷１１は袋１２から取出されて、各角氷部１１ｃを各スリット１１ｂに沿って分離して個々に角氷とされる。
【００１９】
当該氷製造装置を構成する製氷機２０は、図３および図４に示すように、機台のフレームＦ1の上方部に配設した製氷部２０ａおよび可動機構部２０ｂと、フレームＦ1の底部の隅部に配設した製氷用水タンク２０ｃを備えている。
【００２０】
製氷部２０ａは、製氷器２１および水皿２２を備えているもので、製氷器２１は、頂壁部を有して下方へ開口する方形箱状の枠部２１ａと、枠部２１ａ内に位置して同枠部２１ａ内を多数の製氷室２１ｂに区画する多数の仕切壁２１ｃと、枠部２１ａの頂壁部に配置した冷却部２１ｄからなり、仕切壁２１ｃは枠部２１ａの周囲壁部よりわずかに短く形成されている。製氷室２１ｂは、氷１１の各角氷部１１ｃに対応する形状を呈している。冷却部２１ｄは、熱伝導性の良好なパイプを多数回屈曲して形成した蒸発器であって、製氷運転時には、内部を流通する冷却媒体にて製氷器２１の各製氷室２１ｂ内を冷却し、除氷運転時には、内部に供給されるホットガスにて製氷室２１の各製氷室２１ｂ内の氷を融解させる。
【００２１】
水皿２２は、後述する可動機構部２０ｂにて支持されて製氷部２０ａの下方に配置されているもので、上方皿部２２ａと、上方皿部２２ａの下面側に配置された複数本の給水通路２２ｂと、上方皿部２２ａから流下する水を下方の製氷用水タンク２０ｃへ導くロート状の捕集水部２２ｃからなり、上方皿部２２ａの上面部および給水通路２２ｂの上面部には、各製氷室２１ｂの下端開口部に対向する噴出孔２２ｄが形成されている。
【００２２】
給水通路２２ｂは、製氷用水タンク２０ｃに設けた給水ポンプ２３ａに連結ホース２３ｂを介して連結されており、給水ポンプ２３ａの駆動により、製氷用水タンク２０ｃ内に貯留する製氷用水が給水通路２２ｂへ給水されるように構成されている。供給された製氷用水は、各噴出孔２２ｄを通して各製氷室２１ｂに供給される。
【００２３】
また、上方皿部２２ａの表面の前端部には、複数個のリブ２２ｅが形成されている。各リブ２２ｅは三角形の山形状のもので、前端縁側が漸次高くなるように上方へ突出する山形状を呈しており、左右方向に所定間隔を保持して互いに並列している。
【００２４】
水皿２２は、上方皿部２２ａの表面を製氷器２１の枠部２１ａにおける周囲壁部の下端に当接した状態で配設されていて、上方皿部２２ａの表面と各仕切壁２１ｃの下端との間には、所定の隙間が確保されている。この隙間は、平板状の氷１１の連結部１１ａを形成するもので、この連結部１１ａには各製氷室２１ｂにて形成される各角氷部１１ｂが一体的に結合される。なお、上方皿部２２ａの表面には、フレームＦ1に設けた給水管２３ｃを通して図示しない給水源からも給水されるようになっている。
【００２５】
可動機構部２０ｂは、左右一対の駆動アーム２４、第１，第２，第３連結アーム２５ａ，２５ｂ，２５ｃ、テンションスプリング２６ａ、および引張ワイヤ２６ｂと、押動ロッド２７および駆動モータ２８とを備えている。駆動アーム２４は、円形状本体２４ａと、その外周縁から直交して延びるアーム部２４ｂとからなるもので、左右の両駆動アーム２４は回転軸２４ｃを介して互いに連結されている。回転軸２４ｃは、駆動アーム２４の円形状本体２４ａにおける中心部から偏倚した部位に連結されていて、各駆動アーム２４をアーム部２４ｂが垂直上方へ突出した状態に起立させ、円形状本体２４ａの外周の下端縁部を水皿２２の左右の各側縁部上に当接させている。これにより、駆動アーム２４の円形状本体２４ａは水皿２２を押動する押動カムとして機能する。
【００２６】
各連結アーム２５ａ，２５ｂ，２５ｃのうち、第１連結アーム２５ａは駆動アーム２４と水皿２２を連結するもので、その上端部にて駆動アーム２４のアーム部２４ｂの上端部に回動可能に連結され、かつ、その下端部にて水皿２２の捕集水部２２ｃの側部に連結されている。第１連結アーム２５ａの下端部には長手方向に延びる長穴２５ａ1が形成されていて、捕集水部２２ｃの側部前側に突設した連結ピン２２ｃ1が長穴２５ａ1に移動可能に嵌挿されて、第１連結アーム２５ａと水皿２２が連結されている。
【００２７】
第２連結アーム２５ｂは、駆動アーム２４と第３連結アーム２５ｃとを連結するもので、その一端部にて駆動アーム２４の円形状本体２４ａに回動可能に連結され、かつ、その他端部にてフレームＦ1に回動可能に支持した第３連結アーム２５ｃの一端部に連結されている。第２連結アーム２５ｂの一端部は、駆動アーム２４の円形状本体２４ａにおける回転軸２４ｃの連結部位より高い部位に連結されている。また、第２連結アーム２５ｂの他端部には、長手方向に延びる長穴２５ｂ1が形成されていて、第３連結アーム２５ｃの一端部を捕集水部２２ｃの側部に回動可能に連結する連結ピン２５ｃ1が長穴２５ｂ1に移動可能に嵌挿されて、第２連結アーム２５ｂが駆動アーム２４と第３連結アーム２５ｃとに連結されている。
【００２８】
可動機構部２０ｂにおいては、駆動アーム２４、第１，第２，第３連結アーム２５ａ，２５ｂ，２５ｃにて水皿２２を支持して、水皿２２を製氷部２０ａにおける製氷器２１の下方に位置させている。
【００２９】
押動ロッド２７は、水皿２２の捕集水部２２ｃにおける左右上端部に移動可能に載置されているもので、押動ロッド２７の左右の各端部には、捕集水部２２ｃの後端壁部に掛止した左右一対のテンションスプリング２６ａが掛止されている。また、押動ロッド２７の各端部には、一端をフレームＦ1の側部に掛止した引張ワイヤ２６ｂの他端が連結されている。引張ワイヤ２６ｂは、押動ロッド２７の端部から下降傾斜して、水皿２２の捕集水部２２ｃの側部に突設した係合ピン２２ｆの所定量下方を通って前端側へ延びている。
【００３０】
当該製氷機２０は、図示しない公知の制御装置により、製氷運転、水皿下降、除氷運転、水皿上昇の４工程の作動を制御されるもので、運転停止時においては、製氷部２０ａおよび可動機構部２０ｂは図４および図５（ａ）に示す状態にある。この状態では、製氷器２１の製氷室２１ｂは水皿２２の上方皿部２２ａにて閉塞されており、製氷運転時には、公知の冷凍装置から冷却部２１ｄへ冷却媒体が循環供給されて製氷室２１ｄが冷却される。この間、給水ポンプ２３ａの駆動により、製氷用水タンク２０ｃ内の製氷用水が水皿２２の給水通路２２ｂに供給され、供給された製氷用水は各噴出孔２２ｄから噴出して各製氷室２１ｄに供給される。供給された製氷用水の一部は製氷室２１ｂにて氷結し、残りは捕集水部２２ｃを経て製氷用水タンク２０ｃに還流する。
【００３１】
所定時間製氷運転を行うと、製氷室２１ｂと上方皿部２２ａ間で平板状氷１１が形成され、製氷器２１に設けた図示しないサーミスタがこれを検知し、製氷完了の検出信号を制御装置に出力する。この結果、制御装置は製氷機２０を製氷運転から除氷運転に切替えるとともに、可動機構部２０ｂを駆動させる。
【００３２】
除氷運転では、製氷器２１の冷却部２１ｄに公知の冷凍装置からホットガスが供給されるとともに、各噴出孔２２ｄからの製氷用水の供給が継続され、同時に給水管２３ｃから製氷用水が水皿２２の上方皿部２２ａ上に散水供給される。この間に供給された製氷用水は、捕集水部２２ｃを経て製氷用水タンク２０ｃに還流する。これにより、水皿２２の上方皿部２２ａが製氷室２１ｂに形成された氷１１から剥離し易い状態を形成する。
【００３３】
製氷用水の製氷用水タンク２０ｃからの供給、および給水管２３ｃからの供給は、制御装置にてタイマ制御されていて所定時間経過後に停止され、その後、可動機構部２０ｂの駆動が開始される。可動機構部２０ｂの駆動開始は駆動モータ２８の駆動によりなされる。駆動モータ２８の駆動により、駆動アーム２４は図示時計方向へ回動される。
【００３４】
駆動アーム２４の回動により、円筒状本体２４ａは押動カムとして機能して、図５（ｂ）に示すように回動して水皿２２を押下げて、水皿２２を製氷器２１に凍結している氷１１から剥離させる。この間、第１連結アーム２５ａおよび第２連結アーム２５ｂは、駆動アーム２４の回動に伴って回動しつつ下方へ移動しようとするが、水皿２２が氷１１から剥離するまでは、各連結アーム２５ａ，２５ｂに設けた長穴２５ａ1，２５ｂ1と、連結ピン２２ｃ１，２５ｃ1との作用により、両連結アーム２５ａ，２５ｂの移動は規制される。
【００３５】
水皿２２が氷１１から剥離すると、第１，第２連結アーム２５ａ，２５ｂは、駆動アーム２４の回動に伴って回動しつつ下方へ移動して第３連結アーム２５ｃを回動させ、水皿２２はこれらの連結アーム２５ａ〜２５ｃに支持されて、水平状態を保持して漸次下降する。この間、駆動アーム２４の回転軸２４ｃに設けた突起２４ｄがスイッチｓｗ1に当接し、スイッチｓｗ1は動作して駆動モータ２８を停止させ、水皿２２を図５（ｃ）に示すように、製氷器２１の所定量下方にて水平状態に支持される。
【００３６】
また、スイッチｓｗ1の動作により、給水管２３ｃから水皿２２の上方皿部２２ａ上へ所定時間給水されて、上方皿部２２ａの表面に凍結している残氷を溶解して上方皿部２２ａの表面を清掃する。給水管２３から所定時間給水された水は捕集水部２２ｃを経て製氷用水タンク２０ｃに流出される。製氷器２１の製氷室２１ｂに凍結している氷１１は、冷却部２１ｄに供給されているホットガスの融解作用、各供給水の融解作用にて製氷室２１ｂから離脱して、水皿２２の上方皿部２２ａの表面にゆっくりと落下する。
【００３７】
氷１１の上方皿部２２ａの表面への落下は、製氷器２１に設けた図示しないサーミスタにより検知され、冷却部２１ｄへのホットガスの供給が停止されて除氷運転が終了し、製氷機２０は製氷運転が開始できる状態に切替わる。
【００３８】
また、駆動モータ２８の駆動が再開されて、駆動アーム２４はさらに図示時計方向へ回動する。このため、第１，第２連結アーム２５ａ，２５ｂはさらに回動しつつ下方へ移動して、第１連結アーム２５ａは水皿２２の前端側を下方へ押動して水皿２２を回動させ、図５（ｄ）に示すように、前方へ下降傾斜する傾斜状態とする。
【００３９】
この水皿２２の前方への回動動作時には、引張ワイヤ２６ｂが水皿２２に設けた係合ピン２２ｆに係合され、引張ワイヤ２６ｂは係合ピン２２ｆにより下方へ引張られる。この結果、両引張ワイヤ２６ｂに連結されている押動ロッド２７がテンションスプリング２６ａに抗して前方へ引張られて、押動ロッド２７は図５（ｄ）に示すように、氷１１を背部から押動しつつ前方へ所定量移動する。これにより、氷１１は平板状の状態で、水皿２２の上方皿部２２ａの表面を滑動して前端縁部の各リブ２２ｅ上に乗り上げ、上方皿部２２ａの表面との間に隙間を形成して非密着状態として滑らかに前方へ移動して、前方に配設した氷袋詰装置（以下袋詰装置３０という）に搬送される。
【００４０】
この時点では、駆動アーム２４の突起２４ｄはスイッチｓｗ2に当接して、スイッチｓｗ2を動作して駆動モータ２８を一旦停止させ、次いで、駆動モータ２８を逆転駆動させて駆動アーム２４を図示反時計方向へ回動させる。駆動アーム２４が図示反時計方向へ回動して突起２４ｄがスイッチｓｗ3に当接すると、スイッチｓｗ3が動作して駆動モータ２８を停止して、駆動アーム２４の回動を停止させる。その後、給水ポンプ２３ａが駆動して、製氷用水を製氷器２１の製氷室２１ｂに供給して製氷運転が再開される。
【００４１】
駆動アーム２４が回動復帰する間、各連結アーム２５ａ，２５ｂ，２５ｃは駆動アーム２４の回動に伴い、水皿２２の下降時とは逆の方向へ回動して上方へ移動し、水皿２２を図５（ｄ）に示す下降傾斜状態から同図（ｃ）、同図（ｂ）に示す水平状態を経て、同図（ａ）に示す製氷運転可能状態に復帰させる。
【００４２】
なお、袋詰装置３０側に搬送された氷１１は、押動機構３０ａに押動されて、両樹脂フィルム１２ａ，１２ｂ間に挿入され、シール機構３０ｂにて両樹脂フィルム１２ａ，１２ｂの周縁部をシールして袋詰めされるとともに、切断機構３０ｃにて袋１２の後側シール部の後方を切断されて、図示しない冷凍ストッカへ搬出される。
【００４３】
袋詰装置３０は、図３、図６〜図８に示すように、押動機構３０ａ、シール機構３０ｂ、切断機構３０ｃを備えたもので、袋詰装置３０を構成するフレームＦ2に配設されている。フレームＦ2には、上下の中央部の後端側に氷受け台３１ａが配設されているとともに、氷受け台３１ａの前側にシールヒータを埋設した前後一対の受承台３１ｂ，３１ｃ（ベース）が配設されている。両受承台３１ｂ，３１ｃ間には、所定幅の隙間３１ｄが形成されている。氷受け台３１ａは、前方へ下降傾斜するもので、製氷機２０の水皿２２が下降傾斜した場合の上方皿部２２ａの表面の延長面上に位置している。
【００４４】
上方皿部２２ａは、製氷機２１における平板状氷１１の搬出路を構成し、その表面は搬出路の路面を構成している。また、袋詰装置３０における氷受け台３１ａは、同装置３０における平板状氷１１の搬入路を構成し、その表面は搬入路の路面を構成している。
【００４５】
第１受承台３１ｂおよび第２受承台３１ｃは、氷受け台３１ａの前側にて同一傾斜角にて前方へ下降傾斜しているもので、第１受承台３１ｂは第２受承台３１ｃに比較して前後方向に長く形成されており、図６および図７に示すように、第１受承台３１ｂにおいては、その左右の側縁部および後縁部にシールヒータ３１ｅがコ字状に埋設されている。また、第２受承台３１ｃにおいては、その左右の側縁部および前縁部にシールヒータ３１ｆがコ字状に埋設されている。第１受承台３１ｂは、複数のバネ３１ｇにてフレームＦ2の中間部に弾撥的に支持されている。
【００４６】
第２受承台３１ｃにおける前縁部のシールヒータ３１ｆ1は、第１受承台３１ｂにおける後縁部のヒータ部３１ｅ1より所定量長く形成されていて、両側縁部のヒータ部３１ｆ2の間隔が第１受承台３１ｂにおける両側縁部のヒータ部３１ｅ2の間隔より所定幅広く形成されている。また、第２受承台３１ｃにおける両側縁部のヒータ部３１ｆ2は、第１受承台３１ｂにおける両側縁部のヒータ部３１ｅ2より極めて短く形成されている。
【００４７】
押動機構３０ａは、図６および図７に示すように、左右一対の揺動アーム３２ａおよび連結アーム３２ｂと、両揺動アーム３２ａをその下端部にて互いに連結する回転軸３２ｃと、両連結アーム３２ｂを互いに連結する前後の押動ロッド３２ｄ，３２ｅと、駆動モータ３２ｆとにより構成されている。回転軸３２ｃは、駆動モータ３２ｆの駆動軸に連結されていて、駆動モータ３２ｆの駆動により回転する。両揺動アーム３２ａは上端部に長手方向に延びる長穴３２ａ1が形成されており、各長穴３２ａ1に後側の第１押動ロッド３２ｅの各端部が移動可能に挿通されて、フレームＦ2の両側壁に設けた第１ガイド溝３２ｇに移動可能に挿入されている。また、前側の第２押動ロッド３２ｄの各端部は、フレームＦ2の両側壁に設けた第２ガイド溝３２ｈに移動可能に挿入されている。
【００４８】
第１ガイド溝３２ｇは、フレームＦ2の後部から前方へ所定長さ延びる同一幅のもので、氷受け台３１ａのわずかに上方の位置にて氷受け台３１ａに沿って延びる前側溝部３２ｇ1と、前側溝部３２ｇ1の後端から後方下方へ傾斜して延びる後側溝部３２ｇ2とにより形成されている。
【００４９】
第２ガイド溝３２ｈは、第１ガイド溝３２ｇの上方にてその中間部から前方へ所定長さ延びているもので、細幅の後側溝部３２ｈ１と、広幅の前側溝部３２ｈ2と、これら両溝部３２ｈ１，３２ｈ2を連結する中間溝部３２ｈ3とからなり、後側溝部３２ｈ１は各受承台３１ｂ，３１ｃに対して前方へ下降傾斜して形成され、前側溝部３２ｈ2は各受承台３１ｂ，３１ｃと同一の下降傾斜角に形成されている。また、前側溝部３２ｈ2には棚部３２ｈ４が形成されており、棚部３２ｈ４は断面Ｌ字状の板で形成されて、前側溝部３２ｈ2の上下の中央部に位置している。
【００５０】
かかる構成の押動機構３０ａにおいては、駆動モータ３２ｆの停止時には、図６に示すように、揺動アーム３２ａは後退位置にあって、第１押動ロッド３２ｅを第１ガイド溝３２ｇの後側溝部３２ｇ2の端部に待機させ、かつ、第２押動ロッド３２ｄを第２ガイド溝３２ｈの後側溝部３２ｈ1の端部に待機させている。第１押動ロッド３２ｅの待機位置は、氷受け台３１ａの表面である搬入路の路面の延長面Ｌより下方の位置にあり、かつ、第２押動ロッド３２ｄの待機位置は、氷受け台３１ａの表面である搬入路の路面より所定高さ上方にある。
【００５１】
シール機構３０ｂは、図６および図８に示すように、駆動モータ３３ａ、左右一対の伸縮可能なアーム部３３ｂ、昇降部３３ｃ、および駆動モータ３３ａの駆動軸とアーム部３３ｂの中央部を連結するクランク３３ｄにて構成されている。駆動モータ３３ａは、フレームＦ2の頂部外側に配設されていて、駆動モータ３３ａに連結するクランク３３ｄがフレームＦ2内に延びて、左右のアーム部３３ｂを連結する中央ロッド３３ｂ１の中央部に連結している。両アーム部３３ｂは、上下および前後の４本のロッド３３ｂ2，３３ｂ3によっても互いに連結されていて、前後の上側ロッド３３ｂ2にてフレームＦ2の頂部裏側に取付けられ、かつ、前後の下側ロッド３３ｂ3にて昇降部３３ｃの上面側に取付けられている。
【００５２】
昇降部３３ｃは下方に開口する箱状を呈するもので、下端開口縁部は内向フランジに形成されていて、当該内向フランジが押圧部３３ｃ1となっている。押圧部３３ｃ1は、各受承台３１ｂ，３１ｃに設けた各シールヒータ３１ｅ，３１ｆに略同一形状に形成されているもので、各シールヒータ３１ｅ，３１ｆに対向する。昇降部３３ｃの内部には、弾性材料のシートからなるクッション体３３ｅは固定されている。
【００５３】
シール機構３０ｂにおいては、駆動モータ３３ａの駆動により、アーム部３３ｂが上下方向に所定量伸長、伸縮して昇降部３３ｃを下降、上昇動作させ、昇降部３３ｃは最大下降時には、第１受承台３１ｂを各バネ３１ｇに抗して押圧して、後述する上下２枚の樹脂フィルム１２ａ，１２ｂの周縁部を両受承台３１ｂ，３１ｃに設けたシールヒータ３１ｅ，３１ｆとにより挟持して熱融着し、氷１１を両樹脂フィルム１２ａ，１２ｂにてシールする。この場合、クッション体３３ｅは、平板状氷１１の上面に当接して大きく圧縮される。
【００５４】
切断機構３０ｃは、図６および図８に示すように、シール機構３０ｂを構成する昇降部３３ｃに回動可能に支持されたブラケット３４ａの先端縁部に固着した切断刃３４ｂを主体とするもので、ブラケット３４ａは上方へ開口する湾曲形状で左右に長く形成されている。切断刃３４ｂは、ブラケット３４ａの先端縁部に沿って左右に延びる長尺のもので、両受承台３１ｂ，３１ｃ間の隙間３１ｄの上方に位置し、ブラケット３４ａの回動により下方へ回動して隙間３１ｄに突入し、両受承台３１ｂ，３１ｃ上にある樹脂フィルム１２ａ，１２ｂを隙間３１ｄの部位にて切断する。
【００５５】
切断機構３０ｃを構成するブラケット３４ａにおいては、後端側が後方へ上方傾斜して延びて押動部３４ａ1に形成されており、押動部３４ａ1は、シール機構３０ｂを構成する昇降部３３ｃと一体に下降した際には、押動機構３０ａを構成する第２押動ロッド３２ｄの移動軌跡内に位置し、押動ロッド３２ｄにて押動される。これにより、ブラケット３４ａは図示反時計方向に回動して切断刃３４ｂを両受承台３１ｂ，３１ｃ間の隙間３１ｄに突入させる。
【００５６】
当該袋詰機構３０においては、樹脂フィルム１２ａが巻回された状態のロールとしてフレームＦ2の側壁上方部に支持され、かつ、樹脂フィルム１２ｂが巻回された状態のロールとしてフレームＦ2の側壁上方部に支持されていて、収容函３５ａ，３６ａに収容されている。両樹脂フィルム１２ａ，１２ｂは、各ロールから各受承台３１ｃ上に送出されるが、樹脂フィルム１２ａは収容函３５ａに突設したガイド板３５ｂに導かれて受承台３１ｃ上に送出されるようになっている。収容函３５ａの前方には、ストッパ３５ｃが突設されている。ストッパ３５ｃとガイド板３５ｂとの間に切断刃３４ｂを備えたブラケット３４ａの押動部３４ａ1が位置しており、ストッパ３５ｃはブラケット３４ａの図示反時計方向への回動を所定量に規制する。
【００５７】
当該袋詰装置３０においては、製氷機２０にて製造された平板状氷１１が図５（ａ）〜（ｄ）に示す状態で搬入されたときに運転が開始され、平板状氷１１は製氷機２０を構成する水皿２２の上方皿部２２ａの表面を滑動して図９に示す状態に搬入される。なお、両樹脂フィルム１２ａ，１２ｂは前の袋詰工程において、その前端縁部は、図１４に示すシール部１２ｃのごとく平面コ字状にシールされていて、第２受承台３１ｃの後端部に位置している。
【００５８】
当該袋詰装置３０において、平板状氷１１が搬入されて氷受け台３１ａ上に位置すると、図示しないスイッチがこれを検知して駆動モータ３２ｆを駆動させ、駆動モータ３２ｆは揺動アーム３２ａを前方へ揺動させる。この結果、第１押動ロッド３２ｅは、前方へ押動されて第１ガイド溝３２ｇ内を前方へ移動して連結アーム３２ｂを前方へ移動させ、第２押動ロッド３２ｄを第２ガイド溝３２ｈ内にて前方へ移動させる。これにより、図９に示すように、第１押動ロッド３２ｅは平板状氷１１の背部に当接して、同氷１１を前方へ押動して前端縁部がコ字状にシールされた両樹脂フィルム１２ａ，１２ｂ間に挿入し、一方、第２押動ロッド３２ｄは平板状氷１１の前端部の上方を前方へ移動するとともに、第２ガイド溝３２ｈの前側溝部３２ｈ2では棚部３２ｈ4上を前方へ摺動する。この間、両樹脂フィルム１２ａ，１２ｂは順次引出されて、平板状氷１１を表裏両面から被覆する。
【００５９】
揺動アーム３２ａが前方へ揺動して、平板状氷１１の前端が図１０に示すように第１受承台３１ｂの前端部に達すると、揺動アーム３２ａはスイッチｓｗ4に当接する。これにより、スイッチｓｗ4が動作して、駆動モータ３２ｆを一旦停止させた後逆方向へ回転駆動させ、揺動アーム３２ａを後方へ揺動させる。揺動アーム３２ａが後方へ揺動するとスイッチｓｗ5に当接し、スイッチｓｗ5が動作して駆動モータ３２ｆを停止する。これにより、揺動アーム３２ａの後方への揺動が停止される。スイッチｓｗ5の動作にて駆動モータ３２ｆが停止して、揺動アーム３２ａの後方への揺動が停止されると、駆動モータ３３ａが駆動してアーム部３３ｂを伸長させるとともに、駆動モータ３２ｆが駆動して揺動アーム３２ａを前方へ所定量揺動させる。
【００６０】
シール機構３０ｂを構成するアーム部３３ｂの伸長により、昇降部３３ｃが所定量下降して第１受承台３１ｂおよび第２受承台３１ｃに当接し、両受承台３１ｂｃをバネ３１ｇに抗して押圧する。図１１は、昇降部３３ｃが両受承台３１ｂ，３１ｃを押圧している状態を示しており、この状態では、昇降部３３ｃが有する押圧部３３ｃ1が両樹脂フィルム１２ａ，１２ｂの周縁部を両受承台３１ｂ，３１ｃが有する各シールヒータ３１ｅ，３１ｆのヒータ部３１ｅ1，３１ｅ2、３１ｆ1，３１ｆ2に対して押圧する。
【００６１】
この結果、両樹脂フィルム１２ａ，１２ｂの周縁部は、図１４に示すように、予めシールされている前側シール部１２ｃに続く後側がシールされて後側シール部１２ｄが形成され、同時に、その後部側がシールされて前側シール部１２ｃが形成される。これにより、氷１１は両樹脂フィルム１２ａ，１２ｂにて形成された袋１２に収納された状態となる。
【００６２】
また、揺動アーム３２ａの前方への揺動により、図１１に示すように、第２押動ロッド３２ｄが切断機構３０ｃを構成するブラケット３４ａの押動部３４ａ1に当接してブラケット３４ａを図示反時計方向へ回動させて、切断刃３４ｂを両受承台３１ｂ，３１ｃの隙間３１ｄに投入させる。これにより、両樹脂フィルム１２ａ，１２ｂは、後側シール部１２ｄとこれに続く前側シール部１２ｃとの間で切断され、氷１１を収納する袋１２は両樹脂フィルム１２ａ，１２ｂから切離される。
【００６３】
その後、駆動モータ３２ｆを逆回転駆動させて揺動アーム３２ａをスイッチｓｗ5に当接するまで揺動させ、引続き、駆動モータ３３ａを逆回転駆動してアーム部３３ｂを縮小させる。これにより、第２押動ロッド３２ｄが後方位置に復帰し、昇降部３３ｃが上方位置に復帰し、かつ、両受承台３１ｂ，３１ｃがバネ３１ｇの付勢力により上方位置に復帰する。
【００６４】
次いで、駆動モータ３２ｆを駆動させて揺動アーム３２ａをスイッチｓｗ4に当接するまで揺動させる。これにより、図１２に示すように、第１押動ロッド３２ｅは第１ガイド溝３２ｇ内を前方へ移動し、第２押動ロッド３２ｄは第２ガイド溝３２ｈ内にて前側溝部３２ｈ2の底部を摺動しつつ、袋詰めされた平板状氷１１の背部を押圧して図１３に示すように前方へ移動して、袋詰めされた平板状氷１１を図示しない冷凍ストッカに搬入する。その後、駆動モータ３２ｆを逆回転駆動させて揺動アーム３２ａをスイッチｓｗ5に当接するまで揺動させ、製氷機２０からの平板状氷１１の受入れの態勢を整える。
【００６５】
このように、当該袋詰装置３０によれば、平板状氷１１を背部から押動する押動機構３０ａを搬入路を構成する氷受け台３１ａに沿って設けていて、搬入された平板状氷１１を第１押動ロッド３２ｅにより両樹脂フィルム１２ａ，１２ｂ間へ確実に挿入することができるため、平板状氷１１の滑動力を大きくする必要が無い。このため、袋詰装置３０の氷受け台３１ａと製氷機２０側の搬出路を構成する水皿２２の上方皿部２２ａの表面の傾斜角度を、平板状氷１１が破壊されないで滑動するに最適な角度に設定することができて、平板状氷１１の搬出および搬入時の破壊を防止することができる。
【００６６】
また、当該袋詰装置３０によれば、押動機構３０ａを構成する第１押動ロッド３２ｅの待機位置を氷受け台３１ａの表面より下方の位置に設定しているため、袋詰装置３０側の搬入路である氷受け台３１ａの表面を製氷機２０側の搬出路である上方皿部２２ａの表面の延長面上にて同一傾斜角度に配置することができる。このため、平板状氷１１は、製氷機２０側の搬出路から袋詰装置３０側の搬入路へ円滑に移動して破壊されることがなく、特別の氷搬送装置の設置は不要である。
【図面の簡単な説明】
【図１】本発明に係る氷袋詰装置にて袋詰めされた状態の平板状氷の斜視図である。
【図２】同袋詰め氷の縦断面図である。
【図３】同氷袋詰装置と製氷機とからなる氷製造装置の概略構成図である。
【図４】同製氷機の概略側面図である。
【図５】同製氷機の除氷運転時における作動を示す側面図（ａ）〜（ｄ）である。
【図６】同氷袋詰装置の概略側面図である。
【図７】同氷袋詰装置を構成する押動機構の分解斜視図である。
【図８】同氷袋詰装置を構成するシール機構の分解斜視図である。
【図９】同氷袋詰装置における平板状氷を搬入された状態の側面図である。
【図１０】同氷袋詰装置における平板状氷を被覆する両樹脂フィルムにシール直前の状態を示す側面図である。
【図１１】同氷袋詰装置における平板状氷を被覆する両樹脂フィルムをシール中の状態を示す側面図である。
【図１２】同氷袋詰装置における平板状氷を被覆する両樹脂フィルムをシールし切断後の状態を示す側面図である。
【図１３】同氷袋詰装置にて袋詰めされた平板状氷の搬出する状態を示す側面図である。
【図１４】同氷袋詰装置におけるシール工程での両樹脂フィルムのシール部を示す平面図（ａ）、同図（ａ）における矢印ｂ−ｂ線での切断面図（ｂ）、および同図（ａ）における矢印ｃ−ｃ線での切断面図（ｃ）である。
【符号の説明】
１１…氷、１１ａ…連結部、１１ｂ…スリット、１１ｃ…角氷部、１２…袋、１２ａ，１２ｂ…樹脂フィルム、１２ｃ…前側シール部、１２ｄ…後側シール部、２０…製氷機、２０ａ…製氷部、２０ｂ…可動機構部、２０ｃ…製氷水タンク、２１…製氷器、２１ａ…枠部、２１ｂ…製氷室、２１ｃ…仕切壁、２１ｄ…冷却部、２２…水皿、２２ａ…上方皿部、２２ｂ…給水通路、２２ｃ…捕集水部、２２ｃ1…連結ピン、２２ｄ…噴出孔、２２ｅ…リブ、２２ｆ…係合ピン、２３ａ…給水ポンプ、２３ｂ…連結ホース、２３ｃ…給水管、２４…駆動アーム、２４ａ…円形状本体、２４ｂ…アーム部、２４ｃ…回転軸、２４ｄ…突起、２５ａ…第１連結アーム、２５ａ1…長穴、２５ｂ…第２連結アーム、２５ｂ1…長穴、２５ｃ…第３連結アーム、２５ｃ1…連結ピン、２６ａ…テンションスプリング、２６ｂ…引張ワイヤ、２７…押動ロッド、２８…駆動モータ、３０…袋詰装置、３０ａ…押動機構、３０ｂ…シール機構、３０ｃ…切断機構、３１ａ…氷受け台、３１ｂ，３１ｃ…受承台、３１ｄ…隙間、３１ｅ，３１ｆ…シールヒータ、３１ｅ1…後側のヒータ部、３１ｆ1…前側のヒータ部、３１ｅ2，３１ｆ2…側部のヒータ部、３１ｇ…バネ、３２ａ…揺動アーム、３２ａ1…長穴、３２ｂ…連結アーム、３２ｃ…回転軸、３２ｄ，３２ｅ…押動ロッド、３２ｆ…駆動モータ、３２ｇ…第１ガイド溝、３２ｈ…第２ガイド溝、３２ｈ1…後側溝部、３２ｈ2…前側溝部、３２ｈ3…中間溝部、３２ｈ４…棚部、３３ａ…駆動モータ、３３ｂ…アーム部、３３ｂ1…中央ロッド、３３ｂ2…上側ロッド、３３ｂ3…下側ロッド、３３ｃ…昇降部、３３ｃ1…押圧部、３３ｄ…クランク、３３ｅ…クッション体、３４ａ…ブラケット、３４ａ1…押動部、３４ｂ…切断刃、３５ａ，３６ａ…函体、３５ｂ…ガイド板、３５ｃ…ストッパ、Ｆ1，Ｆ2…フレーム、ｓｗ1，ｓｗ2，ｓｗ3，ｓｗ4，ｓｗ5…スイッチ。
【図１】
0004278206.tif 000002
【図２】
0004278206.tif 000003
【図３】
0004278206.tif 000004
【図４】
0004278206.tif 000005
【図５】
0004278206.tif 000006
【図６】
0004278206.tif 000007
【図７】
0004278206.tif 000008
【図８】
0004278206.tif 000009
【図９】
0004278206.tif 000010
【図１０】
0004278206.tif 000011
【図１１】
0004278206.tif 000012
【図１２】
0004278206.tif 000013
【図１３】
0004278206.tif 000014
【図１４】
0004278206.tif 000015